(57)【要約】【課題】簡易な回路構成によって複数の負荷に所望の電圧を印加できる多出力電源装置を提供すること。【解決手段】多出力電源装置５０は、第１負荷４１に印加する第１電圧ＧＲＩＤに応じた第２電圧ＤＣＬＮＢを、第２負荷４５に出力する第１出力端子ＯＵＴ１と、第１出力端子ＯＵＴ１に接続される第１定電圧素子ＺＤ１と、第１定電圧素子ＺＤ１とグランドとの間に設けられる第２定電圧素子ＺＤ２と、第１定電圧素子ＺＤ１と第２定電圧素子ＺＤ２との間に接続される第２出力端子ＯＵＴ２とを含む。第２出力端子ＯＵＴ２は、第２電圧ＤＣＬＮＢと所定の電位差を有する第３電圧ＤＣＬＮＡを、第２負荷４５と電気的に導通する状態に設けられた第３負荷４４に出力するとともに、第２電圧ＤＣＬＮＢおよび第３電圧ＤＣＬＮＡの出力に応じて第２，第３負荷４４，４５を介して流れる負荷電流を受け取る。【選択図】図３
2011139606.tif 000002
【特許請求の範囲】
【請求項１】
第１負荷に印加する第１電圧を生成する第１電圧発生回路と、
前記第１電圧に応じた第２電圧を、第２負荷に出力する第１出力端子と、
前記第１出力端子に接続される第１定電圧素子と、
前記第１定電圧素子とグランドとの間に設けられる第２定電圧素子と、
前記第１定電圧素子と前記第２定電圧素子との間に接続される第２出力端子であって、前記第２電圧と所定の電位差を有する第３電圧を、前記第２負荷と電気的に導通する状態に設けられた第３負荷に出力する第２出力端子と、
を備えた、多出力電源装置。
【請求項２】
請求項１に記載の多出力電源装置において、
前記第１定電圧素子は第１ツェナーダイオードであり、前記第２定電圧素子は第２ツェナーダイオードであり、
前記第１ツェナーダイオードのカソードが前記第１出力端子に接続され、前記第１ツェナーダイオードのアノードが、前記第２ツェナーダイオードのカソードに接続され、
前記第２ツェナーダイオードのアノードが前記グランドに接続される、多出力電源装置。
【請求項３】
請求項１または請求項２に記載の多出力電源装置において、
前記第１電圧を受け取る第３定電圧素子をさらに備え、
前記第１出力端子は、前記第３定電圧素子と前記第１定電圧素子との間に接続される、多出力電源装置。
【請求項４】
請求項３に記載の電源装置において、
前記第３定電圧素子は第３ツェナーダイオードであり、前記第３ツェナーダイオードのカソードが、前記第１電圧発生回路に電気的に接続され、前記第３ツェナーダイオードのアノードが、前記第１ツェナーダイオードのカソードに接続される、多出力電源装置。
【請求項５】
請求項１から請求項４のいずれか一項に記載の多出力電源装置において、
前記第２出力端子に接続され、前記第２電圧および第３電圧と異なる電圧値を有する第４電圧を、前記第３電圧に応じて生成する第４電圧生成回路をさらに備える、多出力電源装置。
【請求項６】
請求項５に記載の多出力電源装置において、
前記第４電圧生成回路は、可変抵抗手段と抵抗とを含み、
前記可変抵抗手段は前記抵抗と前記グランドとの間に設けられ、
前記抵抗の一端が前記第２出力端子に接続され、前記抵抗の他端が前記可変抵抗手段に接続される、多出力電源装置。
【請求項７】
請求項１から請求項６のいずれか一項に記載の多出力電源装置において、
前記多出力電源装置は、画像形成装置内に設けられ、
前記第１，第２，および第３負荷は、前記画像形成装置内の負荷である、多出力電源装置。
【請求項８】
請求項７に記載の多出力電源装置において、
前記画像形成装置は、放電ワイヤとグリッドとを有する帯電器を含み、
前記第１電圧発生回路は、前記放電ワイヤに印加する帯電電圧を生成する帯電電圧発生回路であり、
前記第１電圧は、前記帯電電圧を前記放電ワイヤに印加することによって前記グリッドに生成されるグリッド電圧であり、
前記多出力電源装置は、前記グリッド電圧を受け取るグリッド電圧端子をさらに備え、
前記第１出力端子は、前記グリッド電圧に応じた第２電圧を、前記画像形成装置の第２負荷に出力する、多出力電源装置。
【請求項９】
請求項８に記載の多出力電源装置において、
前記第２負荷は紙粉クリーナであり、前記第３負荷は像担持体クリーナであり、
前記第２電圧は前記紙粉クリーナに印加される紙粉クリーナ電圧であり、前記第３電圧は前記像担持体クリーナに印加される像担持体クリーナ電圧である、多出力電源装置。
【請求項１０】
請求項８または請求項９に記載の多出力電源装置において、
前記帯電電圧の前記放電ワイヤへの印加に伴う帯電電流を検出し制御する帯電電流制御回路をさらに備える、多出力電源装置。
【請求項１１】
現像剤を担持する像担持体と、
放電ワイヤとグリッドとを有し、前記像担持体を帯電する帯電器と、
請求項１から請求項１０のいずれか一項に記載の多出力電源装置と、
前記第２電圧が印加される第２負荷と、
前記第２負荷と対向して設けられ、前記第３電圧が印加される第３負荷と、
を備えた画像形成装置。
【発明の詳細な説明】
【技術分野】
【０００１】
本発明は多出力電源装置および当該電源装置を備えた画像形成装置に関し、詳しくは、複数の負荷に異なる電圧を効率的に印加する電源技術に関する。
【背景技術】
【０００２】
従来、複数の負荷に異なる電圧を効率的に印加する電源技術が、例えば、特許文献１に開示されている。そこでは、画像形成装置の帯電器に発生するグリッド電圧を利用して、複数の負荷であるクリーニングローラ（像担持体クリーナ）と、２次ローラ（紙粉クリーナ）に異なる高電圧をそれぞれ印加する技術が開示されている。
【先行技術文献】
【特許文献】
【０００３】
【特許文献１】特開２００３−２９５７１８号公報
【発明の概要】
【発明が解決しようとする課題】
【０００４】
上述した従来技術では、所望の電圧毎に専用の高圧生成回路を必要とせず効率的にクリーニングローラおよび２次ローラ等の負荷に高電圧を印加することができる。しかしながら、クリーニングローラおよび２次ローラに印加する電圧を生成するために、電圧発生回路、スイッチング回路、電圧降下回路等が必要となり、電源回路の構成が必ずしも簡易であるとは言えなかった。そのため、電圧毎に専用の高圧生成回路を必要とせず、かつ簡易な構成によって複数の負荷に所定の電圧を印加できる電源装置が所望されていた。
本発明は、簡易な回路構成によって複数の負荷に所望の電圧を印加できる多出力電源装置を提供するものである。
【課題を解決するための手段】
【０００５】
上記技術を提供するための手段として、多出力電源装置に係る第１の発明は、第１負荷に印加する第１電圧を生成する第１電圧発生回路と、前記第１電圧に応じた第２電圧を、第２負荷に出力する第１出力端子と、前記第１出力端子に接続される第１定電圧素子と、前記第１定電圧素子とグランドとの間に設けられる第２定電圧素子と、前記第１定電圧素子と前記第２定電圧素子との間に接続される第２出力端子であって、前記第２電圧と所定の電位差を有する第３電圧を、前記第２負荷と電気的に導通する状態に設けられた第３負荷に出力する第２出力端子とを備える。
【０００６】
本構成によれば、第１および第２定電圧素子の接続構成によれば、例えば、第１および第２定電圧素子として、ツェナーダイオードを使用することにより、第２電圧および第３電圧を、第１電圧から簡易な構成で生成し、第２，第３負荷に出力することができる。すなわち、専用の複雑な電圧発生回路を必要とせず、簡易な回路構成によって、第１負荷とは異なる他の負荷に所望の電圧を印加できる。また、第２，第３負荷による負荷電流を第２出力端子を介して第１および第２定電圧素子によって構成される第１電圧の分圧回路に返すことによって、第２，第３負荷の負荷電流の変動による第１電圧の変動を最小限に抑制することができる。なお、ここで第１電圧発生回路が第１電圧を生成する際、第１電圧発生回路のみによって第１電圧を生成する場合に限られない。
【０００７】
第２の発明は、第１の発明の多出力電源装置において、前記第１定電圧素子は第１ツェナーダイオードであり、前記第２定電圧素子は第２ツェナーダイオードであり、前記第１ツェナーダイオードのカソードが前記第１出力端子に接続され、前記第１ツェナーダイオードのアノードが、前記第２ツェナーダイオードのカソードに接続され、前記第２ツェナーダイオードのアノードのアノードが前記グランドに接続される。  
本構成によれば、第１定電圧素子および第２定電圧素子がツェナーダイオードによって構成されるため、多出力電源装置が簡易な構成において好適に構成される。
【０００８】
第３の発明は、第１または第２の発明の多出力電源装置において、前記第１電圧を受け取る第３定電圧素子をさらに備え、前記第１出力端子は、前記第３定電圧素子と前記第１定電圧素子との間に接続される。
本構成によれば、第３定電圧素子の定電圧値に応じて、第１電圧と異なる値の第２電圧を生成することができる。
【０００９】
第４の発明は、第３の発明の多出力電源装置において、前記第３定電圧素子は第３ツェナーダイオードであり、前記第３ツェナーダイオードのカソードが、前記第１電圧発生回路に電気的に接続され、前記第３ツェナーダイオードのアノードが、前記第１ツェナーダイオードのカソードに接続される。
本構成によれば、第３定電圧素子を、簡易な構成において好適に構成できる。
【００１０】
第５の発明は、第１から第４のいずれか一つの発明の多出力電源装置において、前記第２出力端子に接続され、前記第２電圧および第３電圧と異なる電圧値を有する第４電圧を、前記第３電圧に応じて生成する第４電圧生成回路をさらに備える。
【００１１】
本構成によれば、第４電圧生成回路が回路電流の多い箇所に接続されるため、第４電圧生成回路の精度を向上させることができるとともに、第１電圧の変動を抑制できる。
【００１２】
第６の発明は、第５の発明の多出力電源装置において、前記第４電圧生成回路は、可変抵抗手段と抵抗とを含み、前記可変抵抗手段は前記抵抗と前記グランドとの間に設けられ、前記抵抗の一端が前記第２出力端子に接続され、前記抵抗の他端が前記可変抵抗手段に接続される。
本構成によれば、第４電圧を簡易な構成で生成できる。
【００１３】
第７の発明は、第１から第６のいずれか一つの発明の多出力電源装置において、前記多出力電源装置は、画像形成装置内に設けられ、前記第１，第２，および第３負荷は、前記画像形成装置内の負荷である。
本構成によれば、画像形成装置において、簡易な回路構成によって複数の負荷に所望の電圧を印加できる。そのため、画像形成装置を軽量化および省エネ化できる。
【００１４】
第８の発明は、第７の発明の多出力電源装置において、前記画像形成装置は、放電ワイヤとグリッドとを有する帯電器を含み、前記第１電圧発生回路は、前記放電ワイヤに印加する帯電電圧を生成する帯電電圧発生回路であり、前記第１電圧は、前記帯電電圧を前記放電ワイヤに印加することによって前記グリッドに生成されるグリッド電圧であり、前記多出力電源装置は、前記グリッド電圧を受け取るグリッド電圧端子をさらに備え、前記第１出力端子は、前記グリッド電圧に応じた第２電圧を、前記画像形成装置の第２負荷に出力する。
【００１５】
本構成によれば、例えば、第１および第２定電圧素子として、ツェナーダイオードを使用することにより、第１電圧および第２電圧を、グリッド電圧から簡易な構成で生成し、画像形成装置の２個の負荷に出力することができる。すなわち、専用の高圧発生回路を必要とせず、簡易な回路構成によって、画像形成装置内の負荷に所望の電圧を印加できる。また、負荷電流の変動によるグリッド電圧の変動を最小限に抑制することができる。
【００１６】
第９の発明は、第８の発明の多出力電源装置において、前記第２負荷は紙粉クリーナであり、前記第３負荷は像担持体クリーナであり、前記第２電圧は前記紙粉クリーナに印加される紙粉クリーナ電圧であり、前記第３電圧は前記像担持体クリーナに印加される像担持体クリーナ電圧である。
本構成によれば、紙粉クリーナ電圧および像担持体クリーナ電圧を、専用の専用の高圧発生回路を必要とせず、グリッド電圧から、簡易な構成で生成できる。
【００１７】
第１０の発明は、第８または第９の発明の多出力電源装置において、前記帯電電圧の前記放電ワイヤへの印加に伴う帯電電流を検出し制御する帯電電流制御回路をさらに備える。
本構成によれば、グリッド電圧を検出する構成を有しない場合であっても、帯電電流を制御することによって、帯電器に所望の動作を行わせることができる。すなわち、画像形成装置の像担持体を所望の帯電状態とすることができる。
【００１８】
また、画像形成装置に係る第１１の発明は、現像剤を担持する像担持体と、放電ワイヤとグリッドとを有し、前記像担持体を帯電する帯電器と、第１から第１０のいずれか一つの発明の多出力電源装置と、前記第２電圧が印加される第２負荷と、前記第２負荷と対向して設けられ、前記第３電圧が印加される第３負荷とを備える。
【００１９】
本構成によれば、例えば、第２負荷としての紙粉クリーナに印加される紙粉クリーナ電圧（第２電圧）、および第３負荷としての像担持体クリーナに印加される像担持体クリーナ電圧（第３電圧）を、グリッド電圧から、簡易な構成で生成できる。その際、負荷電流の変動によるグリッド電圧の変動を最小限に抑制することができる。
【発明の効果】
【００２０】
本発明の多出力電源装置によれば、簡易な回路構成によって複数の負荷に所望の電圧を印加できる。
【図面の簡単な説明】
【００２１】
【図１】本発明の実施形態１に係るプリンタの内部構成を表す概略断面図
【図２】プリンタの高圧電源装置の概略的なブロック図
【図３】実施形態１における帯電電圧生成回路および紙粉除去電圧・ドラムクリーナ電圧生成回路の概略的なブロック図
【図４】実施形態１における各種電圧の関係を示すテーブル
【図５】実施形態１における、別の紙粉除去電圧・ドラムクリーナ電圧生成回路の概略的なブロック図
【図６】実施形態２における帯電電圧生成回路および紙粉除去電圧・ドラムクリーナ電圧生成回路の概略的なブロック図
【発明を実施するための形態】
【００２２】
＜実施形態１＞
本発明の実施形態１を、図１〜図５を参照しつつ説明する。
【００２３】
１．プリンタの全体構成
図１は、本実施形態のカラープリンタ１（本発明の「多出力電源装置を備えた画像形成装置」の一例）の内部構成を表す概略断面図である。以下の説明では、各構成要素について、色毎に区別する場合は各部の符号にＹ（イエロー），Ｍ（マゼンタ），Ｃ（シアン），Ｋ（ブラック）の添え字を付し、区別しない場合は添え字を省略する。なお、画像形成装置は、カラープリンタに限られず、例えば、ＦＡＸおよびコピー機能を有する複合機であってもよい。
【００２４】
カラープリンタ（以下、単に「プリンタ」という）１は、給紙部３、画像形成部５、搬送機構７、定着部９、ベルトクリーニングユニット２０、および高圧電源装置５０を含む。プリンタ１は、例えば外部から入力される画像データに応じた１または複数色（本実施形態ではイエロー、マゼンタ、シアン、ブラックの４色）のトナー（現像剤）からなるトナー像を、シート１５（用紙、ＯＨＰシートなど）に形成する。
【００２５】
給紙部３は、プリンタ１の最下部に設けられており、シート１５を収容するトレイ１７と、ピックアップローラ１９とを含む。トレイ１７に収容されたシート１５は、ピックアップローラ１９により１枚ずつ取り出され、搬送ローラ１１，レジストレーションローラ１２を介して搬送機構７に送られる。
【００２６】
搬送機構７は、シート１５を搬送するためのものであり、例えば、プリンタ１内に形成された所定の装着部（図示せず）に着脱自在に装着される。搬送機構７は、駆動ローラ３１、従動ローラ３２、およびベルト３４を含み、ベルト３４は、駆動ローラ３１と従動ローラ３２との間に架け渡されている。駆動ローラ３１が回動すると、ベルト３４は、感光ドラム４２と対向する側の表面が、図１中の右方向から左方向へ移動する。これにより、レジストレーションローラ１２から送られてきたシート１５が、画像形成部５下へと搬送される。また、搬送機構７は、４つの転写ローラ３３を含む。
【００２７】
画像形成部５は、４個のプロセスユニット４０Ｙ，４０Ｍ，４０Ｃ，４０Ｋおよび４個の露光装置４３を含む。各プロセスユニット４０は、帯電器４１、感光ドラム（「像担持体」の一例）４２、ドラムクリーナローラ（「像担持体クリーナ」の一例）４４、紙粉除去ローラ（「紙粉クリーナ」の一例）４５、ユニットケース４６、現像ローラ（「現像器」の一例）４７、および供給ローラ４８を含む。各プロセスユニット４０Ｙ，４０Ｍ，４０Ｃ，４０Ｋは、プリンタ１内に形成された所定の装着部（図示せず）に着脱自在に装着される。
【００２８】
感光ドラム４２は、例えば、アルミニウム製の基材上に、正帯電性の感光層が形成されたものであり、アルミニウム製の基材がプリンタ１のグランドラインに接地されている。帯電器４１は、例えば、スコロトロン型の帯電器であり、放電ワイヤ４１Ａおよびグリッド４１Ｂを有する。放電ワイヤ４１Ａに帯電電圧ＣＨＧが印加され、グリッド４１Ｂのグリッド電圧ＧＲＩＤは、感光ドラム４２の表面がほぼ同電位（例えば、＋８００Ｖ）になるように制御される。
【００２９】
露光装置４３は、例えば、感光ドラム４２の回転軸方向に沿って一列状に並んだ複数の発光素子（例えばＬＥＤ）を有し、複数の発光素子を、外部より入力される画像データに応じて発光制御することにより、感光ドラム４２の表面に静電潜像を形成する。なお、露光装置４３は、プリンタ１内に固定設置される。露光装置４３はレーザを使用したものであってもよい。
【００３０】
ユニットケース４６は、各色のトナー（本実施形態では、例えば正帯電性の非磁性１成分トナー）を収納するとともに、現像ローラ４７および供給ローラ４８を有する。現像ローラ４７と供給ローラ４８とは対向して設けられるとともに、各ローラは電気的に導通する状態に設けられている。トナーは、供給ローラ４８の回転により現像ローラ４７に供給され、供給ローラ４８と現像ローラ４７との間で正に摩擦帯電される。さらに、現像ローラ４７が、トナーを均一な薄層として感光ドラム４２上へ供給することによって静電潜像を現像して、感光ドラム４２上にトナー像を形成する。
【００３１】
各転写ローラ３３は、各感光ドラム４２との間でベルト３４を挟む位置に配置されている。各転写ローラ３３は、感光ドラム４２との間にトナーの帯電極性とは逆極性（ここでは、負極性）の転写電圧ＴＲＣＣが印加されることで、感光ドラム４２上に形成されたトナー像をシート１５に転写する。その後、シート１５は、搬送機構７により定着部９へと搬送され、定着部９にてトナー像が熱定着され、プリンタ１の上面に排出される。
【００３２】
ドラムクリーナローラ４４および紙粉除去ローラ４５によって構成されるドラムクリーニング機構は、感光ドラム４２上の付着物（主に紙粉）を静電気力で吸引して除去する。ドラムクリーナローラ４４と紙粉除去ローラ４５とは対向して設けられるとともに、各ローラは電気的に導通する状態に設けられている。ドラムクリーニング機構は、印刷時（通紙時）あるいは印刷ジョブ終了後や所定枚数印刷後（非通紙時）において、主に負極性を有する紙粉を除去する。なお、紙粉除去ローラ４５は、ここでは、例えば、プロセスユニット４０Ｋのみに設けられる。紙粉は、感光ドラム４２からドラムクリーナローラ４４を介して紙粉除去ローラ４５に吸引される。
【００３３】
また、ベルトクリーニングユニット２０は、搬送機構７の下方に設けられ、例えば、所定の装着部（図示せず）に着脱自在に装着される。ベルトクリーニングユニット２０は、ベルトクリーニングローラ２１、付着物回収ローラ２２、および回収ボックス２３を含み、ベルト３４上の付着物（主にベルト３４に残存したトナー）を回収する。ベルトクリーニングローラ２１と付着物回収ローラ２２とは対向して設けられ、各ローラは電気的に導通する状態に設けられている。
【００３４】
２．高圧電源装置の構成
次に、図２を参照して、プリンタ１の本発明に関連する電気的構成を説明する。図２は、回路基板（図示せず）に実装される高圧電源装置５０の概略的なブロック図および高圧電源装置５０に関連する接続構成を示す。なお、高圧電源装置５０は、各プロセスユニット４０Ｙ，４０Ｍ，４０Ｃ，４０Ｋに対応する電圧生成回路を含むが、各プロセスユニットに対応する構成は、ほぼ同一であるため、図２には、プロセスユニット４０Ｋに関連する電圧生成回路のみが示される。
【００３５】
高圧電源装置（「多出力電源装置」の一例）５０は、ＣＰＵ６０、ＣＰＵ６０に接続された複数の電圧生成回路、ＲＯＭ６１、およびＲＡＭ６２を含む。ＣＰＵ６０は、電圧生成回路の制御の他に、プリンタ全体の制御を司る。ＲＯＭ６１は、プリンタ全体の動作プログラム等を記憶し、ＲＡＭ６２は印刷処理に用いる画像データ等を記憶する。
【００３６】
複数の電圧生成回路は、例えば、図２に示されるように、帯電電圧生成回路５１、紙粉除去電圧・ドラムクリーナ電圧生成回路５２、転写電圧生成回路５３、現像電圧生成回路５４、供給ローラ電圧生成回路５５、ベルトクリーナ電圧生成回路５６、および付着物回収電圧生成回路５７を含む。なお、複数の電圧生成回路の構成は、これに限られない。
【００３７】
帯電電圧生成回路（「第１電圧発生回路」の一例）５１は、帯電器４１（「第１負荷」の一例）の放電ワイヤ４１Ａに印加する帯電電圧ＣＨＧおよび帯電器４１のグリッド４１Ｂに印加するグリッド電圧（「第１電圧」の一例）ＧＲＩＤを生成する。ここで、帯電電圧ＣＨＧは、例えば、５．５ｋＶ〜８ｋＶ（正極性）であり、グリッド電圧ＧＲＩＤは、例えば、約８００Ｖ（正極性）である。なお、グリッド電圧ＧＲＩＤは、帯電電圧ＣＨＧの帯電器４１への印加による、放電ワイヤ４１Ａとグリッド４１Ｂとの間の放電時における放電抵抗を利用して生成される。
【００３８】
帯電電圧生成回路５１は、例えば、ＣＰＵ６０のＰＷＭ１ポートからのＰＷＭ信号にしたがって帯電電圧ＣＨＧを生成し、帯電電圧ＣＨＧはＡ／Ｄ１ポートを介してフィードバック制御される。
【００３９】
紙粉除去電圧・ドラムクリーナ電圧生成回路５２は、紙粉除去ローラ４５に印加する紙粉除去電圧ＤＣＬＮＢおよびドラムクリーナローラ４４に印加するドラムクリーナ電圧ＤＣＬＮＡを生成する。ここで、紙粉除去電圧ＤＣＬＮＢは、例えば、約７００Ｖである。
【００４０】
また、ドラムクリーナ電圧ＤＣＬＮＡは、例えば、約５００Ｖ（正極性）である。紙粉除去電圧・ドラムクリーナ電圧生成回路５２は、グリッド電圧ＧＲＩＤに基づいて紙粉除去電圧ＤＣＬＮＢおよびドラムクリーナ電圧ＤＣＬＮＡを生成する。なお、帯電電圧生成回路５１および紙粉除去電圧・ドラムクリーナ電圧生成回路５２の詳細は、後述される。
【００４１】
転写電圧生成回路５３は、転写ローラ３３に印加する転写電圧ＴＲＣＣを生成する。ここで、転写電圧ＴＲＣＣは、例えば、約−７ｋＶ（負極性）である。転写電圧生成回路５３は、例えば、ＣＰＵ６０のＰＷ２ポートからのＰＷＭ信号にしたがって転写電圧ＴＲＣＣを生成し、転写電圧ＴＲＣＣは、Ａ／Ｄ２ポートを介してフィードバック制御される。
【００４２】
現像電圧生成回路５４は、現像ローラ４７に印加する現像電圧ＤＥＶを生成する。ここで、現像電圧ＤＥＶは、例えば、約３００〜５５０Ｖ（正極性）である。現像電圧生成回路５４は、例えば、ＣＰＵ６０のＰＷＭ３ポートからのＰＷＭ信号にしたがって現像電圧ＤＥＶを生成し、現像電圧ＤＥＶは、Ａ／Ｄ３ポートを介してフィードバック制御される。
【００４３】
供給ローラ電圧生成回路５５は、供給ローラ４８に印加する供給ローラ電圧ＳＲを生成する。ここで、供給ローラ電圧ＳＲは、例えば、約４００〜６５０Ｖ（正極性）である。供給ローラ電圧生成回路５５は、例えば、ＣＰＵ６０のＰＷＭ４ポートからのＰＷＭ信号にしたがって供給ローラ電圧ＳＲを生成し、供給ローラ電圧ＳＲは、Ａ／Ｄ４ポートを介してフィードバック制御される。
【００４４】
ベルトクリーナ電圧生成回路５６は、ベルトクリーナローラ２１に印加するベルトクリーナ電圧ＢＣＬＮＡを生成する。ここで、ベルトクリーナ電圧ＢＣＬＮＡは、例えば、約−１２００Ｖ（負極性）である。ベルトクリーナ電圧生成回路５６は、例えば、ＣＰＵ６０のＰＷＭ５ポートからのＰＷＭ信号にしたがってベルトクリーナ電圧ＢＣＬＮＡを生成し、ベルトクリーナ電圧ＢＣＬＮＡは、Ａ／Ｄ５ポートを介してフィードバック制御される。
【００４５】
付着物回収電圧生成回路５７は、付着物回収ローラ２２に印加する付着物回収電圧ＢＣＬＮＢを生成する。ここで、付着物回収電圧ＢＣＬＮＢは、例えば、約−１６００Ｖ（負極性）である。付着物回収電圧生成回路５７は、例えば、ＣＰＵ６０のＰＷＭ６ポートからのＰＷＭ信号にしたがって付着物回収電圧ＢＣＬＮＢを生成し、付着物回収電圧ＢＣＬＮＢは、Ａ／Ｄ６ポートを介してフィードバック制御される。
【００４６】
３．帯電電圧生成回路および紙粉除去電圧・ドラムクリーナ電圧生成回路の構成
次に、図３および図４を参照して、帯電電圧生成回路５１および紙粉除去電圧・ドラムクリーナ電圧生成回路５２を説明する。図３は、帯電電圧生成回路５１および紙粉除去電圧・ドラムクリーナ電圧生成回路５２の概略的なブロック図であり、図４は、各電圧の例を示すテーブルである。
【００４７】
帯電電圧生成回路５１は、トランスＴ１、整流ダイオードＤ１、平滑コンデンサＣ１、トランス駆動回路６３、および帯電電流検出回路６４を含む。
【００４８】
トランスＴ１は、１次巻線Ｌ１と２次巻線Ｌ２とを含み、２次巻線Ｌ２に帯電電圧ＣＨＧを生成する。整流ダイオードＤ１は、２次巻線Ｌ２に生成される交流電圧を整流する。平滑コンデンサＣ１は、整流された交流電圧を平滑して直流高電圧である帯電電圧ＣＨＧを生成する。
【００４９】
トランス駆動回路６３は、１次巻線Ｌ１に接続され、トランスＴ１を駆動する。トランス駆動回路６３は、例えば、ＣＰＵ６０のＰＷＭ１ポートからのＰＷＭ信号によって制御され、１次巻線Ｌ１を駆動する。
【００５０】
帯電電流検出回路６４は、検出抵抗Ｒ１を含み、帯電電圧ＣＨＧの放電ワイヤ４１Ａへの印加に伴う帯電電流Ｉｃｈｇによる電圧を検出する。検出電圧は、ＣＰＵ６０のＡ／Ｄ１ポートに供給される。ＣＰＵ６０は、帯電電流検出回路６４の検出電圧に基づいて、帯電電流Ｉｃｈｇを検出し、帯電電流Ｉｃｈｇが所定値となるように、帯電電圧生成回路５１を定電流制御する。帯電電流検出回路６４およびＣＰＵ６０が、本発明における帯電電流制御回路に相当する。
【００５１】
そのため、本実施形態のようにグリッド電圧ＧＲＩＤを検出する構成を有しない場合であっても、帯電電流制御回路（６０，６４）による帯電電流Ｉｃｈｇの制御によって、帯電器４１に所望の動作を行わせることができる。すなわち、感光ドラム４２を所望の帯電状態とすることができる。
【００５２】
一方、紙粉除去電圧・ドラムクリーナ電圧生成回路５２は、第１出力端子ＯＵＴ１、第２出力端子ＯＵＴ２、グリッド電圧端子ＧＶ、および第１〜第３ツェナーダイオードＺＤ１，ＺＤ２，ＺＤ３を含む。
【００５３】
グリッド電圧端子ＧＶは、帯電電圧ＣＨＧの放電ワイヤ４１Ａへの印加に伴って、グリッド４１Ｂに生成されるグリッド電圧ＧＲＩＤを受け取る。なお、本実施形態において、詳しくは、帯電電圧ＣＨＧを、放電ワイヤ４１Ａとグリッド４１Ｂとの間の放電時における放電抵抗と、紙粉除去電圧・ドラムクリーナ電圧生成回路５２とによって分圧することによって、グリッド電圧ＧＲＩＤがグリッド４１Ｂに生成される。すなわち、本実施形態において、グリッド電圧ＧＲＩＤは、帯電電圧生成回路５１と紙粉除去電圧・ドラムクリーナ電圧生成回路５２とによって生成される。
第１出力端子ＯＵＴ１は、グリッド電圧ＧＲＩＤに応じた紙粉除去電圧（「第２電圧」の一例）ＤＣＬＮＢを、紙粉除去ローラ（「第２負荷」の一例）４５に出力する。
【００５４】
第１ツェナーダイオード（「第１定電圧素子」の一例）ＺＤ１のカソードは、第１出力端子ＯＵＴ１に接続され、第１ツェナーダイオードＺＤ１のアノードは、第２ツェナーダイオードＺＤ２のカソードに接続されている。第２ツェナーダイオードＺＤ２のアノードはグランドに接続されている。
【００５５】
第２出力端子ＯＵＴ２は、第１ツェナーダイオードＺＤ１と第２ツェナーダイオードＺＤ２との間に接続されている。第２出力端子ＯＵＴ２は、ドラムクリーナ電圧（「第３電圧」の一例）ＤＣＬＮＡを、紙粉除去ローラ４５と電気的に導通する状態に設けられたドラムクリーナローラ（「第３負荷」の一例）４４に出力する。ドラムクリーナ電圧ＤＣＬＮＡは、紙粉除去電圧ＤＣＬＮＢと所定の電位差（第１ツェナーダイオードＺＤ１のツェナー電圧ＶＺＤ１に相当）を有する。また、第２出力端子ＯＵＴ２は、紙粉除去電圧ＤＣＬＮＢおよびドラムクリーナ電圧ＤＣＬＮＡの出力に応じて紙粉除去ローラ４５およびドラムクリーナローラ４４を介して流れる負荷電流Ｉｒを受け取る。
【００５６】
第３ツェナーダイオードＺＤ３のカソードは、グリッド電圧端子ＧＶおよび帯電器４１を介して帯電電圧生成回路５１に電気的に接続される。第３ツェナーダイオードＺＤ３のカソードには、グリッド電圧ＧＲＩＤを受け取る。言い換えれば、ツェナー電圧ＶＺＤ１，ＶＺＤ２，ＶＺＤ３を用いて、第３ツェナーダイオードＺＤ３のカソードに、グリッド電圧ＧＲＩＤが生成される。第３ツェナーダイオードＺＤ３のアノードは、第１ツェナーダイオードＺＤ１のカソードに接続される。すなわち、第１出力端子ＯＵＴ１は、第３ツェナーダイオードＺＤ３と第１ツェナーダイオードＺＤ１との間に接続される。すなわち、第１〜第３ツェナーダイオードＺＤ１，ＺＤ２，ＺＤ３は縦列接続される。
【００５７】
なお、第２負荷および第３負荷は、紙粉除去ローラ４５およびドラムクリーナローラ４４に限られない。例えば、第２負荷および第３負荷は、供給ローラ４８および現像ローラ４７であってもよい。この場合、第２電圧および第３電圧は、それぞれ供給ローラ電圧ＳＲおよび現像電圧ＤＥＶとなる。
【００５８】
また、図５の紙粉除去電圧・ドラムクリーナ電圧生成回路５２Ａに示されるように、第１〜第３ツェナーダイオードＺＤ１，ＺＤ２，ＺＤ３に、さらに第４および第５ツェナーダイオードＺＤ４，ＺＤ５が縦列接続されるようにしてもよい。そして、この場合、グリッド電圧ＧＲＩＤから、４個の負荷、例えば、紙粉除去ローラ４５、ドラムクリーナローラ４４、供給ローラ４８、および現像ローラ４７に印加する、紙粉除去電圧ＤＣＬＮＢ（６００Ｖ）、ドラムクリーナ電圧ＤＣＬＮＡ（５００Ｖ）、供給ローラ電圧ＳＲ（４００Ｖ）、および現像電圧ＤＥＶ（３００Ｖ）を生成し、第１〜第４出力端子ＯＵＴ１，ＯＵＴ２，ＯＵＴ３，ＯＵＴ４からそれぞれの電圧を出力するようにしてもよい。
【００５９】
４．第１実施形態の作用・効果
第１〜第３ツェナーダイオードＺＤ１，ＺＤ２，ＺＤ３の上記接続構成によれば、ツェナー電圧ＶＺＤ１，ＶＺＤ２，ＶＺＤ３を適宜、選定することにより、紙粉除去電圧ＤＣＬＮＢおよびドラムクリーナ電圧ＤＣＬＮＡを、グリッド電圧ＧＲＩＤ（第１電圧）から簡易な構成で生成し、紙粉除去ローラ４５およびドラムクリーナローラ４４に出力することができる。
【００６０】
すなわち、専用の高圧発生回路を必要とせず、簡易な回路構成によって、帯電器４１（第１負荷）とは異なる紙粉除去ローラ４５およびドラムクリーナローラ４４（第２，第３負荷）に所望の電圧を印加できる。また、紙粉除去ローラ４５およびドラムクリーナローラ４４による負荷電流Ｉｒを第２ツェナーダイオードＺＤ２に返すことによって、負荷電流Ｉｒの変動によるグリッド電圧ＧＲＩＤの変動を最小限に抑制することができる。すなわち、第２ツェナーダイオードＺＤ２に流れる電流が多くなるため、第２ツェナーダイオードＺＤ２のツェナー電圧ＶＺＤ２が安定し、グリッド電圧ＧＲＩＤが安定することになる。
【００６１】
例えば、図４に示されるように、ツェナー電圧ＶＺＤ１が２００Ｖの第１ツェナーダイオードＺＤ１と、ツェナー電圧ＶＺＤ２が５００Ｖの第２ツェナーダイオードＺＤ２と、ツェナー電圧ＶＺＤ３が１００Ｖの第３ツェナーダイオードＺＤ３を使用する。すると、図４に示されるように、ほぼ７００Ｖの紙粉除去電圧ＤＣＬＮＢが得られ、ほぼ５００Ｖのドラムクリーナ電圧ＤＣＬＮＡが得られる。
【００６２】
このとき、紙粉除去電圧ＤＣＬＮＢとドラムクリーナ電圧ＤＣＬＮＡとの電圧差は、第１ツェナーダイオードＺＤ１のツェナー電圧ＶＺＤ１に相当する２００Ｖとなる。すなわち、紙粉除去電圧ＤＣＬＮＢはドラムクリーナ電圧ＤＣＬＮＡより２００Ｖ高い。そのため、負極性の紙粉は、ドラムクリーナローラ４４を介して紙粉除去ローラ４５に好適に吸引される。
【００６３】
また、第３ツェナーダイオードＺＤ３のツェナー電圧ＶＺＤ３の値に応じて、グリッド電圧ＧＲＩＤと異なる値の紙粉除去電圧ＤＣＬＮＢを生成することができる。
また、第１〜３定電圧素子が第１〜第３ツェナーダイオードＺＤ１，ＺＤ２，ＺＤ３によって構成されるため、第１〜３定電圧素子が簡易な構成において好適に構成できる。
【００６４】
＜実施形態２＞
次に、本発明の実施形態２を、図６を参照しつつ説明する。図６は、実施形態２に係る帯電電圧生成回路５１および紙粉除去電圧・ドラムクリーナ電圧生成回路５２Ｂの概略的なブロック図である。
【００６５】
なお、実施形態１と実施形態２とは、紙粉除去電圧・ドラムクリーナ電圧生成回路の構成が一部、異なるだけである。詳細には、現像電圧ＤＥＶが紙粉除去電圧・ドラムクリーナ電圧生成回路５２Ｂによって生成され、図２に示される現像電圧生成回路５４が省略される。そのため、同一構成要素には同一の部材番号を付し、相違点のみを説明する。
【００６６】
紙粉除去電圧・ドラムクリーナ電圧生成回路５２Ｂは、図６に示されるように、現像電圧生成回路（「第４電圧生成回路」の一例）６５をさらに含む。現像電圧生成回路６５は、第２出力端子ＯＵＴ２に接続され、紙粉除去電圧ＤＣＬＮＢおよびドラムクリーナ電圧ＤＣＬＮＡ（第２電圧および第３電圧）と異なる電圧値を有する現像電圧ＤＥＶ（「第４電圧」の一例）を、ドラムクリーナ電圧ＤＣＬＮＡ（第３電圧）に応じて生成する。
【００６７】
現像電圧生成回路６５は、トランジスタ（「可変抵抗手段」の一例）ＴＲ１と抵抗Ｒ５とを含む。トランジスタＴＲ１は抵抗Ｒ５とグランドとの間に設けられる。抵抗Ｒ５の一端が第２出力端子ＯＵＴ２に接続され、抵抗Ｒ５の他端がトランジスタＴＲ１に接続される。すなわち、現像電圧ＤＥＶは、単に、ドラムクリーナ電圧ＤＣＬＮＡを抵抗Ｒ５とトランジスタＴＲ１のＯＮ抵抗とによって分圧されることによって生成される。
【００６８】
現像電圧生成回路６５は、また、抵抗Ｒ５の他端とグランドとの間に設けられる現像電圧検出回路（Ｒ３，Ｒ４）を含む。現像電圧検知回路（Ｒ３，Ｒ４）は、例えば、分圧抵抗Ｒ３，Ｒ４から構成され、検出された電圧値はＣＰＵ６０のＡ／Ｄ３Ａポートに供給される。ＣＰＵ６０は、現像電圧ＤＥＶの検出値に基づいて、例えば、トランジスタＴＲ１のＯＮ抵抗を制御するＰＷＭ信号を生成し、ＰＷＭ３Ａポートから現像電圧生成回路６５に供給する。トランジスタＴＲ１のＯＮ抵抗が制御されることによって、現像電圧ＤＥＶの値が制御される。
【００６９】
５．第２実施形態の効果
上記第２実施形態の構成によれば、現像電圧生成回路６５（第４電圧生成回路）が、第２出力端子ＯＵＴ２という回路電流の多い箇所に接続される。そのため、トランジスタＴＲ１のＯＮ抵抗を制御するためにトランジスタＴＲ１に必要な電流が確保される。その結果、現像電圧生成回路６５の精度を向上させることができるとともに、グリッド電圧ＧＲＩＤの変動を抑制できる。
【００７０】
例えば、図４に示される電圧構成である場合、５００Ｖのドラムクリーナ電圧ＤＣＬＮＡを抵抗Ｒ５とトランジスタＴＲ１のＯＮ抵抗とによって分圧することによって、例えば、４００Ｖの現像電圧ＤＥＶを、簡易な構成によって生成することができる。
【００７１】
＜他の実施形態＞
本発明は上記記述及び図面によって説明した実施形態に限定されるものではなく、例えば次のような実施形態も本発明の技術的範囲に含まれる。
【００７２】
（１）上記各実施形態においては、第２定電圧素子を１個の第２ツェナーダイオードＺＤ２によって構成する例を示したが、これに限られない。第２定電圧素子を縦列接続された複数の第２ツェナーダイオードＺＤ２によって構成するようにしてもよい。この場合、ドラムクリーナ電圧ＤＣＬＮＡ（第３電圧）の設定自由度が増加し、例えば、より高い電圧に設定することができる。
【００７３】
（２）上記各実施形態においては、第１〜第３定電圧素子として、ツェナーダイオードを使用する例を示したが、これに限られない。定電圧素子として、例えば、バリスタを使用してもよいし、トランジスタのＯＮ抵抗を利用する構成を使用してもよい。
【００７４】
（３）上記各実施形態において、第３ツェナーダイオードＺＤ３（第３定電圧素子）は省略されてもよい。その場合、紙粉除去電圧ＤＣＬＮＢ（第２電圧）はグリッド電圧ＧＲＩＤ（第１電圧）と等しくなる。
【００７５】
（４）上記各実施形態においては、第１電圧として正極性の電圧であるグリッド電圧ＧＲＩＤとする例を示したが、これに限られない。例えば、第１電圧として負極性の電圧である付着物回収電圧ＢＣＬＮＢを利用して、負極性の紙粉除去電圧ＤＣＬＮＢおよびドラムクリーナ電圧ＤＣＬＮＡを生成するようにしてもよい。あるいは第１電圧として負極性の電圧である転写電圧ＴＲＣＣを利用して、負極性のベルトクリーナ電圧ＢＣＬＮＡおよび付着物回収電圧ＢＣＬＮＢを生成するようにしてもよい。なお、第１電圧として負極性の電圧を利用し、各定電圧素子としてツェナーダイオードを使用する場合、ツェナーダイオードの接続方向を、上記各実施形態と逆にすればよい。
【００７６】
（５）本発明に係る多出力電源装置は、画像形成装置に限られず、複数の電圧出力を必要とするあらゆる装置に適用できる。
【符号の説明】
【００７７】
１…プリンタ
４２…感光体ドラム
４４…ドラムクリーナローラ
４５…紙粉除去ローラ
５０…高圧電源装置
５１…帯電電圧生成回路
５２，５２Ａ，５２Ｂ…紙粉除去電圧・ドラムクリーナ電圧生成回路
６０…ＣＰＵ
６４…帯電電流検出回路
６５…現像電圧生成回路
ＧＶ…グリッド電圧端子
ＯＵＴ１…第１出力端子
ＯＵＴ２…第２出力端子
ＺＤ１…第１ツェナーダイオード
ＺＤ２…第２ツェナーダイオード
ＺＤ３…第３ツェナーダイオード
【図１】
2011139606.tif 000003
【図２】
2011139606.tif 000004
【図３】
2011139606.tif 000005
【図４】
2011139606.tif 000006
【図５】
2011139606.tif 000007
【図６】
2011139606.tif 000008